(57)【特許請求の範囲】
【請求項１】
長尺な主脚及び短尺な主脚からなる一対の梯子状の主脚であって、前記長尺な主脚上端よりも下方位置に前記短尺な主脚上端を折畳金物で回動自在に軸着して下方に向かって外側に傾斜する一対の梯子状の主脚間に、一端を前記長尺な主脚に回動自在に軸着し、他端を前記短尺な主脚より外方に突出させるように、前記主脚間に作業床用天板を折り畳み自在に架設し、前記長尺な主脚上端に前記作業床用天板の突出方向と同じ方向に突出する平面コ字形に形成された手摺枠を設けた脚立式作業台において、
前記手摺枠は、前記長尺な主脚の上端に設けたブラケットに端部を軸着し、このブラケットを介して前記長尺な主脚のうち前記短尺な主脚に近い側に沿う折り畳み状態と、この主脚に沿う折り畳み状態から上方に跳ね上がるように誘導して、略水平方向に突出する状態とになるように支承することを特徴とする脚立式作業台。
【請求項２】
ブラケットは、４分割円周程度の円弧状縁を有する取付片を平行させ、その円弧状縁に沿って手摺枠を主脚に沿う折り畳み状態から上方に跳ね上がるように誘導する請求項１記載の脚立式作業台。
【請求項３】
ブラケットは、４分割円周程度の円弧状縁を有する取付片を平行させ、その間に手摺枠端部を挿入してなり、このブラケットに第１のピン部材で前記手摺枠端部を回動可能に枢着し、手摺枠にスライド可能に設けた鞘体を取付片の円弧状縁に当接し、この鞘体に設ける第２のピン部材が挿通する手摺枠の貫通孔は第２のピン部材が移動し得るよう長孔に形成され、第１のピン部材と第２のピン部材の間を縮小するようにバネで付勢し、前記取付片の円弧状縁にはこの第２のピン部材が嵌り込む切り欠きを適宜位置に形成した請求項１または請求項２記載の脚立式作業台。
【請求項４】
鞘体は上床板に窓孔を形成し、手摺枠端部に設ける着色注意部をこの窓孔から顕出させる請求項３に記載の脚立式作業台。
【請求項５】
前記窓孔は矢印形状であり、一方、着色注意部は２色に分け、その一つは赤系統色で、いずれの色も一色のみ窓孔から顕出させることが可能な請求項４に記載の脚立式作業台。
【発明の詳細な説明】
【技術分野】
【０００１】
本発明は、高所作業台としての手摺付きの脚立式作業台に関するものである。
【背景技術】
【０００２】
脚立は、従来、周知のように例えば複数の踏桟を適宜間隔で取付けた梯子状の一対の脚部の上端を回動自在に軸着し、軸着部である最上段の部分に踏板を設け、軸着部を回動することで一対の脚部を開閉すると同時に踏板を折り畳みまたは開いて使用し、または不使用時に収納するようにしたものである。
【０００３】
ところで、踏板は前記のように三角形の２辺に位置する梯子状の脚部の頂点に位置する梯子の最上段に設けられるものであるため、人が立てるだけの狭い面積しか確保できない。さらに、踏板に立った状態では、手摺り等の手掛かりとなるものがないため、不安定な状態で作業することになり、踏板から転落するなどの危険発生のおそれもあり、安全面で問題があった。
【０００４】
これに対して、本願の発明者は下記特許文献にあるように、踏板の上方に転落防止手段としての手摺を設ける場合、脚部の開閉や踏板の折り畳み・開きの動作に連動して転落防止手段も折り畳まれたり開いたりして使い勝手がよく、不使用時には脚部と一体的になって偏平に折り畳まれ、収納スペースが少なくてすみ、また、使用時には作業者の周囲に配置するから安全性も向上する手摺付き脚立を提案し、出願した。
【特許文献１】特開２０１０−１２６９６８号公報
【０００５】
これは図１４、図１５に示すように、上部に手摺支柱部分４を延設した一対の支柱脚１間に踏桟２を適宜間隔で取付けて梯子状の主脚３を形成し、この主脚３の一対を対向させ、一方の主脚３を長尺に、他方の主脚３をこれよりも多少短尺に形成し、長尺な主脚３の上端よりも多少下方位置に短尺な主脚３の上端を折畳金物９で回動自在に軸着し、支柱脚１の上部位置で主脚３間に作業床用天板６を折畳み自在に掛け渡す。
【０００６】
作業床用天板６は、一端が長尺な主脚３に回動自在に軸着され、他端が水平の使用状態で短尺な主脚３よりも外方に突出する幅に形成する。
【０００７】
図中７は、一端が作業床用天板６の下面に回動自在に軸着され、他端が短尺な主脚３に取付けてある踏桟２に回動自在に軸着されるアーム状のステイを示す。
【０００８】
長尺な主脚３の上端に前記作業床用天板６の突出方向と同じ方向に突出する手摺枠８を主脚３内から上下方向に出没自在に取付ける。
【０００９】
図１７に示すように手摺枠８は平面コ字形に形成され、その取付構造としては、コ字形の開口部側の端部外側に案内突起１０を設け、一方、図１８にも示すように支柱脚１の内部にこの案内突起１０がスライドするガイド長孔１１を支柱脚１の長さ方向にそって形成した断面コ字形の係合部材１４を固定し、支柱脚１の上端は手摺枠８の回動および上下動が可能となるように開口に形成した。
【００１０】
また、支柱脚１の上端側部に手摺枠８を引き出した状態で下方から支承する支持部材１２を取付け、この支持部材１２に手摺枠８を固定する固定金具１３を取付ける。
【００１１】
固定金具１３は、Ｌ字形に形成され、支持部材１２に対して上下方向に回動自在に軸着されて上方の回動位置で手摺枠８に被さるように構成される。
【００１２】
なお、手摺枠８の突出方向の長さは、突出端部が前記作業床用天板６の突出端部とほぼ同じ位置となるように設定する。また、手摺枠８は、突出状態で先端が僅かに上向きとなるように支持部材１２の上面を先端に向けて例えば約７度程度上向きとなるように傾斜させる。
【００１３】
次に使用法について説明する。不使用時には図１６に示すように長尺な主脚３と短尺な主脚３は折畳金物９を中心軸として平行に折畳まれている。この状態で、ステイ７と作業床用天板６は、一端がそれぞれの主脚３との回動軸着部を介して回動し、長尺な主脚３と短尺な主脚３との間で他端が上方に移動して扁平に折畳まれている。
【００１４】
また、固定金具１３は下方に回動した状態で支持部材１２の上から外れ、手摺枠８は、案内突起１０がガイド長孔１１にそって下方に移動し、支柱脚１の内部に収納された状態にある。
【００１５】
この状態から作業台を使用するには、長尺および短尺な主脚３を折畳金物９を介して図１６において左右に回動し全体をハ字状に広げれば、主脚３の広がりに追随して作業床用天板６とステイ７もそれぞれの主脚３との軸着部を中心にして下方に回動し、長尺および短尺な主脚３，３の間で水平位置まで移動する。
【００１６】
この水平位置で作業床用天板６は、途中が主脚３に設けてある踏桟２を使用した天板受け材の上に載置し、この天板受け材で下方から支承される。そして、作業床用天板６は、回動軸着部とは反対側の先端が主脚３よりも外方に突出するから、壁面などの作業箇所に近接して作業床用天板６を位置させることができ、作業性の向上が図れる。
【００１７】
また、対向する主脚３，３は、一方を長尺に他方を短尺に形成してあるから、上部の回動軸着部が長尺な主脚３の上端に位置せず、これよりも下方位置となるから、長尺な主脚３に短尺な主脚３が寄りかかるような状態となり、対向する主脚を上端で軸着する場合に比較して安定性を増すことができる。
【００１８】
手摺枠８のセットは、支柱脚１の内部に収納されている手摺枠８を支柱脚１にそって上方にスライドさせて引き上げる。手摺枠８の開口端部が支柱脚１の上端まで引き上げられたならば、下端を軸にして手摺枠８を下方の水平方向に回動する。
【００１９】
略水平位置で手摺枠８は支柱脚１に取付けてある支持部材１２の上に当接し、それ以上の回動が阻止されてこの略水平位置に係止される。次に、固定金具１３を上方に回動し、手摺枠８の上に被せるようにすれば、手摺枠８が支持部材１２の上、すなわち支柱脚１の上端部に固定される。
【００２０】
よって、作業中に手摺枠８が外れるおそれがなく、作業の安全を確保できる。また、手摺枠８のセットは、上方への引き出しと、水平方向への回動とで行えるから、作業床用天板６上に載っている作業員の邪魔になることもない。
【００２１】
そして、手摺枠８は、主脚１から外方水平方向に突出している作業床用天板６の上方に位置するから、作業床用天板６の突出部分に載って作業する作業員の安全を確保できる。
【発明の開示】
【発明が解決しようとする課題】
【００２２】
前記手摺枠８のセットは、第１に、手摺枠８を支柱脚１にそって上方にスライドさせて引き上げる動作、第２に、支持部材１２の上に当接し、略水平位置に係止動作、第３に、固定金具１３を上に被せる動作の３段階の動作により、手摺枠８の固定が行われる。
【００２３】
このような複数動作の組み合わせでの手摺枠８の固定セットを行うのでは、迅速性に欠け、面倒であり、完全な履行を期待できないおそれもある。
【００２４】
本発明の目的は前記従来例の不都合を解消し、上端を折畳金物で回動自在に軸着して下方に向かって外側に傾斜する一対の梯子状の主脚間に、一端を一方の主脚に回動自在に軸着し、他端を他方の主脚より外方に突出させるように、主脚間に作業床用天板を折り畳み自在に架設し、前記長尺な主脚上端に前記作業床用天板の突出方向と同じ方向に突出する平面コ字形に形成された手摺枠を設けた脚立式作業台において、作業床用天板上に立つ作業員の邪魔にならずに、当該作業員がワンタッチで、迅速かつ簡単に手摺枠を回動して水平の所定位置に固定セットすることができる脚立式作業台を提供するものである。
【課題を解決するための手段】
【００２５】
本発明は前記目的を達成するため、請求項１記載の発明は、長尺な主脚及び短尺な主脚からなる一対の梯子状の主脚であって、前記長尺な主脚上端よりも下方位置に前記短尺な主脚上端を折畳金物で回動自在に軸着して下方に向かって外側に傾斜する一対の梯子状の主脚間に、一端を前記長尺な主脚に回動自在に軸着し、他端を前記短尺な主脚より外方に突出させるように、前記主脚間に作業床用天板を折り畳み自在に架設し、前記長尺な主脚上端に前記作業床用天板の突出方向と同じ方向に突出する平面コ字形に形成された手摺枠を設けた脚立式作業台において、
前記手摺枠は、前記長尺な主脚の上端に設けたブラケットに端部を軸着し、このブラケットを介して前記長尺な主脚のうち前記短尺な主脚に近い側に沿う折り畳み状態と、この主脚に沿う折り畳み状態から上方に跳ね上がるように誘導して、略水平方向に突出する状態とになるように支承することを要旨とするものである。
【００２６】
請求項１記載の本発明によれば、手摺枠は、ブラケットを介して主脚に沿う折り畳み状態から上方に跳ね上がるようにして略水平方向に突出するように支承されるものであり、ブラケットが手摺枠回動のガイドとなるとともに、手摺枠はブラケットによりワンタッチで固定セットすることができる。
【００２７】
請求項２記載の本発明は、ブラケットは、４分割円周程度の円弧状縁を有する取付片を平行させ、その円弧状縁に沿って手摺枠を主脚に沿う折り畳み状態から上方に跳ね上がるように誘導することを要旨とするものである。
【００２８】
請求項２記載の本発明によれば、前記作用に加えて、ブラケットが手摺枠回動のガイドとなるのに４分割円周程度の円弧状縁に沿って上方に跳ね上がるように誘導できるのでスムーズな動きを得ることができる。
【００２９】
請求項３記載の本発明は、ブラケットは、４分割円周程度の円弧状縁を有する取付片を平行させ、その間に手摺枠端部を挿入してなり、このブラケットに第１のピン部材で前記手摺枠端部を回動可能に枢着し、手摺枠にスライド可能に設けた鞘体を取付片の円弧状縁に当接し、この鞘体に設ける第２のピン部材が挿通する手摺枠の貫通孔は第２のピン部材が移動し得るよう長孔に形成され、第１のピン部材と第２のピン部材の間を縮小するようにバネで付勢し、前記取付片の円弧状縁にはこの第２のピン部材が嵌り込む切り欠きを適宜位置に形成したことを要旨とするものである。
【００３０】
請求項３記載の本発明によれば、手摺枠には第２のピン部材を有する鞘体が設けられており、この鞘体を手摺枠に対してスライドさせることで第２のピン部材も移動する。鞘体を手で持って手摺枠を上方に跳ね上げるようにするが、その際に、鞘体を手摺枠に対してスライドさせて第２のピン部材を取付片の円弧状縁に設けた切り欠きから外すことでロックを解除でき、第２のピン部材はそのまま取付片の円弧状縁に当たりながら手摺枠とともに移動し、手摺枠が略水平になった状態で第２のピン部材は自動的に取付片の円弧状縁に設けた切り欠きに入り込みロックが行われる。
【００３１】
請求項４記載の発明は、鞘体は上床板に窓孔を形成し、手摺枠端部に設ける着色注意部をこの窓孔から顕出させることを要旨とするものである。
【００３２】
請求項４記載の発明によれば、鞘体の上床板に形成した窓孔から手摺枠端部に設ける着色注意部を観取することができ、鞘体の第２のピン部材のロック状態を知ることができる。
【００３３】
請求項５記載の発明は、前記窓孔は矢印形状であり、一方、着色注意部は２色に分け、その一つは赤系統色で、いずれの色も一色のみ窓孔から顕出させることが可能なことを要旨とするものである。
【００３４】
請求項５記載の発明によれば、前記請求項４の鞘体の上床板に形成した窓孔から手摺枠端部に設ける着色注意部を観取することができ、鞘体の第２のピン部材のロック状態を知ることができるということに関して、矢印形状の窓孔には赤系統色が現れた時はロックがなされていないことが分かり、確実にロックを行って手摺枠を設置し、安全性を高めることができる。
【発明の効果】
【００３５】
以上述べたように本発明の脚立式作業台は、上端を折畳金物で回動自在に軸着して下方に向かって外側に傾斜する一対の梯子状の主脚間に、一端を一方の主脚に回動自在に軸着し、他端を他方の主脚より外方に突出させるように、主脚間に作業床用天板を折り畳み自在に架設し、前記長尺な主脚上端に前記作業床用天板の突出方向と同じ方向に突出する平面コ字形に形成された手摺枠を設けた脚立式作業台において、作業床用天板上に立つ作業員の邪魔にならずに、当該作業員がワンタッチで、迅速かつ簡単に手摺枠を回動して水平の所定位置に固定セットすることができるものである。
【発明を実施するための最良の形態】
【００３６】
以下、図面について本発明の実施の形態を詳細に説明する。図１〜図４は本発明の脚立式作業台の全体の概要を示すもので、前記従来例を示す図１４〜１６と同一構成要素には同一参照符号を付したものである。
【００３７】
上部に手摺支柱部分４を延設した一対の支柱脚１間に踏桟２を適宜間隔で取付けて梯子状の主脚３を形成した。
【００３８】
主脚３の一対を対向させ、一方の主脚３を長尺に、他方の主脚３をこれよりも多少短尺に形成し、長尺な主脚３の上端よりも多少下方位置に短尺な主脚３の上端を折畳金物９で回動自在に軸着した。このようにして、折畳金物９により、一対の主脚３は、それぞれ開き体となる。
【００３９】
支柱脚１の上部位置で主脚３間に作業床用天板６を折畳み自在に掛け渡す。作業床用天板６は、一端が長尺な主脚３に回動自在に軸着され、他端が水平の使用状態で短尺な主脚３よりも外方に突出する幅に形成する。図中７は、一端が作業床用天板６の下面に回動自在に軸着され、他端が短尺な主脚３に取付けてある踏桟２に回動自在に軸着されるアーム状のステイを示す。
【００４０】
長尺な主脚３の上端に前記作業床用天板６の突出方向と同じ方向に突出する手摺枠８を、長尺な主脚３に添うように収まる状態から水平よりもわずかに、例えば約７度程度上向きとなるように傾斜させる状態まで跳ねあがるように出没自在に取付ける。
【００４１】
本発明は、手摺枠８を、長尺な主脚３の上端に取付けるのに、ブラケット１６を介在させ、このブラケット１６を介して長尺な主脚３に沿う折り畳み状態から上方に跳ね上がるようにして、略水平方向に突出するように支承するものとした。
【００４２】
該ブラケット１６は、図５〜図８に示すように、４分割円周程度の円弧状縁１７を下向きにして有する取付片１８を平行させ、その円弧状縁１７に沿って手摺枠８を主脚３に沿う折り畳み状態から上方に跳ね上がるように誘導するものである。
【００４３】
平行する取付片１８の端には主脚３の上端への係合片１９を一体に連続形成し、この係合片１９で主脚３を挟み込みビス止めすることで、ブラケット１６を主脚３の上端へ取付ける。
【００４４】
手摺枠８は平行する取付片１８間に端部を挿入してなり、このブラケット１６に第１のピン部材２０で回動可能に枢着した。
【００４５】
さらに、この手摺枠８には矩形断面の角管を本体２１ａとする鞘体２１をスライド自在に嵌め、該鞘体２１の本体２１ａの端部に形成する二股片２１ｂに架け渡す第２のピン部材２２を手摺枠８に形成した横長孔２３の貫通孔に挿通させる。
【００４６】
前記第１のピン部材２０と第２のピン部材２２間に巻きバネ２４を架設して、この巻きバネ２４で第１のピン部材２０と第２のピン部材２２の間を縮小するように付勢した。
【００４７】
このようにして、鞘体２１は第２のピン部材２２をもってブラケット１６の取付片１８の円弧状縁１７に当接し、一方、前記取付片１８の円弧状縁１７にはこの第２のピン部材２２が嵌り込む切り欠き２５ａ、２５ｂを形成した。
【００４８】
切り欠き２５ａ、２５ｂのうち、切り欠き２５ａは切り欠き２５ｂよりも小さなものでよく、手摺枠８が長尺な主脚３に添うように収まる状態で第２のピン部材２２が嵌り込む位置に形成する。
【００４９】
切り欠き２５ｂは切り欠き２５ａよりも深く形成することで確実なロックが得られるもので、手摺枠８が前記折り畳み状態から上方に跳ね上がるようにして、略水平方向に突出する状態で第２のピン部材２２が嵌り込む位置に形成する。
【００５０】
図１０〜図１３に示すように、鞘体２１は角管である本体２１ａの上床板に矢印形状の窓孔２６を形成し、これに対応して手摺枠８の端部に着色注意部として赤系統色の着色注意部２７ａと緑系統色の着色注意部２７ｂとを連続させて設け、これら赤系統色の着色注意部２７ａと緑系統色の着色注意部２７ｂとが第２のピン部材２２が切り欠き２５ｂに嵌り込む前と後とで、それぞれ一色のみ窓孔２６から顕出させるようにした。
【００５１】
図１中、１５は開き体である一対の主脚３のうち、長尺な主脚３に軸着ピンによる回動軸着部を介して軸支される開き止め金具で、先端部に他方の開き体である短尺な主脚３に設けた係止ピンに係合する切り欠き溝を形成した横長片からなる。
【００５２】
次に使用法について説明する。不使用時には図４に示すように長尺な主脚３と短尺な主脚３は折畳金物９を中心軸として平行に折畳まれている。また、手摺枠８はブラケット１６を介して前記長尺な主脚３のうち前記短尺な主脚３に近い側に沿う折り畳み状態となっている。
【００５３】
この状態から作業台を使用するには、長尺および短尺な主脚３を折畳金物９を介して図１に示すように左右に回動し全体をハ字状に広げれば、主脚３の広がりに追随して天板６とステイ７もそれぞれの主脚３との軸着部を中心にして下方に回動し、長尺および短尺な主脚３，３の間で水平位置まで移動する。
【００５４】
この水平位置で作業床用天板６は、途中が主脚３に設けてある踏桟２を使用した天板受け材の上に載置し、この天板受け材で下方から支承される。そして、作業床用天板６は、回動軸着部とは反対側の先端が主脚３よりも外方に突出するから、壁面などの作業箇所に近接して作業床用天板６を位置させることができ、作業性の向上が図れる。
【００５５】
また、対向する主脚３，３は、一方を長尺に他方を短尺に形成してあるから、上部の回動軸着部が長尺な主脚３の上端に位置せず、これよりも下方位置となるから、長尺な主脚３に短尺な主脚３が寄りかかるような状態となり、対向する主脚を上端で軸着する場合に比較して安定性を増すことができる。
【００５６】
次に手摺枠８をセットする方法を説明する。手摺枠８は長尺な主脚３に添うように収まっており、第２のピン部材２２が切り欠き２５ａに嵌り込んでロックされている。
【００５７】
この状態で、鞘体２１部分もしくは手摺枠８の他の部分を手で掴んで、この手摺枠８を跳ね上げるようにすれば、第２のピン部材２２が切り欠き２５ａから自動的に抜け出て（鞘体２１をスライドさせる必要はない）、ブラケット１６の取付片１８の円弧状縁１７に当接ながらすべり、手摺枠８が略水平方向に突出する状態になったところで、巻きバネ２４が縮んで第２のピン部材２２が切り欠き２５ｂに嵌り込みロックが行われる。
【００５８】
鞘体２１の窓孔２６では、赤系統色の着色注意部２７ａの顕出から緑系統色の着色注意部２７ｂの顕出へと色が変わり、確実にロックされたことを表示する。
【００５９】
よって、作業中に手摺枠８が外れるおそれがなく、作業の安全を確保できる。また、手摺枠８のセットは、上方への回動のみでワンタッチで行え、しかも、作業床用天板６上に載っている作業員の邪魔になることもない。
【００６０】
そして、手摺枠８は、主脚１から外方水平方向に突出している作業床用天板６の上方に位置するから、作業床用天板６の突出部分に載って作業する作業員の安全を確保できる。
【００６１】
一方、使用後に手摺枠８を畳むには、鞘体２１を窓孔２６が示す矢印方向にスライドさせれば、巻きバネ２４が伸び、第２のピン部材２２が切り欠き２５ｂから抜け出るので、そのまま手摺枠８を押し下げれば、第２のピン部材２２がブラケット１６の取付片１８の円弧状縁１７に当接ながらすべり、手摺枠８が長尺な主脚３に添うように収まるところで第２のピン部材２２が切り欠き２５ａに嵌り込んで軽くロックさる。
【００６２】
この時、鞘体２１の窓孔２６では、緑系統色の着色注意部２７ｂの顕出から赤系統色の着色注意部２７ａの顕出へと色が変わり、ロックが行われていないことを表示する。
【図面の簡単な説明】
【００６３】
【図１】本発明の脚立式作業台の１実施形態を示す側面図である。
【図２】本発明の脚立式作業台の１実施形態を示す正面図である。
【図３】本発明の脚立式作業台の１実施形態を示す背面図である。
【図４】本発明の脚立式作業台の１実施形態を示す折畳んだ状態の側面図である。
【図５】本発明の脚立式作業台の１実施形態を示す要部である手摺枠部分の斜視図である。
【図６】本発明の脚立式作業台の１実施形態を示す要部である手摺枠部分の縦断側面図である。
【図７】手摺枠のロック状態を示す説明図である。
【図８】手摺枠の非ロック状態を示す説明図である。
【図９】バネの設置を示す説明図である。
【図１０】鞘体の平面図である。
【図１１】鞘体の側面図である。
【図１２】鞘体の着色注意部顕出の説明図である。
【図１３】手摺枠の着色注意部の平面図である。
【図１４】従来例を示す脚立式作業台の側面図である。
【図１５】従来例を示す脚立式作業台の正面図である。
【図１６】従来例を示す脚立式作業台の折畳んだ状態の側面図である。
【図１７】従来例を示す脚立式作業台の手摺部分の縦断側面図である。
【図１８】従来例を示す脚立式作業台の手摺枠の取付け部の横断平面図である。
【符号の説明】
【００６４】
１  支柱脚                  ２  踏桟
３  主脚                    ４  手摺支柱部分
５  手摺                    ６  作業床用天板
７  ステイ                  ８  手摺枠
９  折畳金物                １０  案内突起
１１  ガイド長孔            １２  支持部材
１３  固定金具              １４  係合部材
１５  開き止め金具          １６  ブラケット
１７  円弧状縁              １８  取付片
１９  係合片                ２０  第１のピン部材
２１  鞘体                  ２１ａ  本体
２１ｂ  二股片              ２２  第２のピン部材
２３  横長孔                ２４  巻きバネ
２５ａ、２５ｂ  切り欠き    ２６  窓孔
２７ａ  赤系統色の着色注意部
２７ｂ  緑系統色の着色注意部
【図１】
0005837757.tif 000002
【図２】
0005837757.tif 000003
【図３】
0005837757.tif 000004
【図４】
0005837757.tif 000005
【図５】
0005837757.tif 000006
【図６】
0005837757.tif 000007
【図７】
0005837757.tif 000008
【図８】
0005837757.tif 000009
【図９】
0005837757.tif 000010
【図１０】
0005837757.tif 000011
【図１１】
0005837757.tif 000012
【図１２】
0005837757.tif 000013
【図１３】
0005837757.tif 000014
【図１４】
0005837757.tif 000015
【図１５】
0005837757.tif 000016
【図１６】
0005837757.tif 000017
【図１７】
0005837757.tif 000018
【図１８】
0005837757.tif 000019